(57)【要約】【課題】ＰＣ構造物上にて作業員の作業の障害とならずに安定した状態でグラウトホースを直立支持できるグラウトホース補助スタンドを提供すること。【解決手段】板材６１と該板材６１表面上に設けた突起部６２とからなる脚部６と、板材６１に備えた切り欠き部６３に設置し、該切り欠き部６３を中心に回転可能に設けた棒体７とからなるグラウトホース補助スタンド５を使用し、突出部６２をストッパーとして棒体７を板材６１上で直立させ、ＰＣ構造物１及び切り欠き部６３から突出したホース４を棒体７の下端付近で固定して直立支持するものである。【選択図】図１
2005126963.tif 000002
【特許請求の範囲】
【請求項１】
ＰＣ構造物内に設けられたシース管にグラウトを充填する際に、該シース管内からエアーを抜くために又はブリーディングを視認するために該シース管に連通設置され前記ＰＣ構造物表面に突出させたホースを直立保持させるために使用するグラウトホース補助スタンドであって、
前記グラウトホース補助スタンドは、板材と該板材表面上に設けた突起部とからなる脚部と、
前記板材に備えた切り欠き部に設置し、該切り欠き部を中心に回転可能に設けた棒体と、からなり、
前記突出部をストッパーとして前記棒体を前記板材上で直立させ、前記ＰＣ構造物及び前記切り欠き部から突出した前記ホースを前記棒体に固定可能としたことを特徴とする、
グラウトホース補助スタンド。
【請求項２】
前記板材の下面に少なくとも３本の支持脚を備えたことを特徴とする、
請求項１記載のグラウトホース補助スタンド。
【請求項３】
請求項１又は２記載のグラウトホース補助スタンドであって、
前記棒体の下端付近で前記ホースを固定可能としたことを特徴とする、
グラウトホース補助スタンド。
【発明の詳細な説明】
【技術分野】
【０００１】
本発明は、ＰＣ構造物内に設けられたシース管にグラウトを充填する際に、該シース管内からエアーを抜くために又はブリーディングを視認するために該シース管に連通設置され前記ＰＣ構造物表面に突出させたホースを直立保持させるために使用するグラウトホース補助スタンドに関するものである。
【背景技術】
【０００２】
ポストテンション方式のプレストレストコンクリート（以下、単に「ＰＣ」という）橋桁をはじめとするＰＣ構造物においては、該構造物内に備えたシース管内にグラウトを充填するのが一般的である。かかるグラウトは、シース管内に挿入され緊張定着された緊張材（ＰＣ鋼材など）を腐食から保護するとともにコンクリートとシース管内のＰＣ鋼材に付着性を与えて両者を一体化することを目的に使用される。
【０００３】
上記するシース管は、例えばコンクリート床版内において延伸方向に上下に蛇行するような線形で配される。シース管には、通常その延伸方向にわたって、例えば２５ｍ間隔ごとにホースを連通させ、該ホースを直上に延ばしてＰＣ構造物表面に突出させておく。ここで、ＰＣ構造物表面からの突出長は１ｍ以上とするのが一般的である。
上記するホースを取り付ける目的は、主としてシース管内にグラウトを充填する際にシース管内からエアーを抜くことと充填されたグラウトのブリーディングを視認することにある。
【０００４】
ところで、ＰＣ構造物ａ表面から突出したホースｂは、従来、ＰＣ構造物ａ表面上に置いたバリケードｃに結束線ｄなどでその先端付近を括って固定していた（図５参照）。
【発明の開示】
【発明が解決しようとする課題】
【０００５】
前記した従来のホースの固定方法にあっては、次のような問題点がある。
＜１＞ＰＣ構造物表面上に多数のバリケードが置かれた状態となり、かかるＰＣ構造物表面上での作業員の作業に支障を来たしていた。
＜２＞バリケードはＰＣ構造物表面上に単に置かれた状態であるため、強風などによってバリケードが移動させられ、また倒れたりしてＰＣ構造物表面を損傷するといった問題があった。また、バリケードがＰＣ構造物表面上で移動、転倒しないようにその脚部をアンカーピンなどで固定しようとすると、ＰＣ構造物表面を傷めてしまうという問題がある。
＜３＞ホースの先端付近をバリケードに括りつけた状態では、ホースが蛇行して垂れ下がった状態であり、ホース内に上昇してきたグラウトのブリーディング状況を正確に視認することができない。
【課題を解決するための手段】
【０００６】
上記のような問題を解決するために、本発明のグラウトホース補助スタンドは、ＰＣ構造物内に設けられたシース管にグラウトを充填する際に、該シース管内からエアーを抜くために又はブリーディングを視認するために該シース管に連通設置され前記ＰＣ構造物表面に突出させたホースを直立保持させるために使用するグラウトホース補助スタンドであって、前記グラウトホース補助スタンドは、板材と該板材表面上に設けた突起部とからなる脚部と、前記板材に備えた切り欠き部に設置し、該切り欠き部を中心に回転可能に設けた棒体と、からなり、前記突出部をストッパーとして前記棒体を前記板材上で直立させ、前記ＰＣ構造物及び前記切り欠き部から突出した前記ホースを前記棒体に固定可能としたことを特徴とするグラウトホース補助スタンドである。
【０００７】
また、前記板材の下面に少なくとも３本の支持脚を備えたことを特徴とする前記グラウトホース補助スタンドを使用することができる。
【０００８】
さらに、前記棒体の下端付近で前記ホースを固定可能としたことを特徴とするグラウトホース補助スタンドを使用することができる。
【発明の効果】
【０００９】
本発明のグラウトホース補助スタンドは、上記した課題を解決するための手段により、次のような効果の少なくとも一つを得ることができる。
＜１＞グラウトホース補助スタンドはその形状が細長で容積を取らないため、ＰＣ構造物上での作業員の作業の障害になり難い。
＜２＞グラウトホース補助スタンドを構成する棒体とホースをＰＣ構造物表面付近で緊結することにより、ＰＣ構造物内に埋め込まれたホースがあたかもアンカーの役割を担うことによってグラウトホース補助スタンドが倒れ難くなる。
＜３＞グラウトホース補助スタンドを構成する棒体に沿わせてホースを直立させることができるため、ブリーディング状況を正確に視認することができる。
＜４＞グラウトホース補助スタンドを構成する板材の下面に少なくとも３本以上の支持脚を備えて構成することにより、微視的には凹凸形状を備えたＰＣ構造物表面上でもかかる凹凸に左右されることなく、グラウトホース補助スタンドを安定した状態で直立させることができる。
【発明を実施するための最良の形態】
【００１０】
＜１＞ホース
公知のホース４は、ＰＣ構造物１内に設けられたシース管１１にグラウト２を充填する際に、該シース管１１内からエアー３１を抜くために、又はブリーディング３２を視認するために該シース管１１に連通設置されＰＣ構造物１表面に突出させたものである。
シース管１１内にグラウト２を充填する際には、シース管１１の一方からグラウト２を充填することによって、シース管１１内のエアー３１を一方へ押し出しながらシース管１１内にグラウト２が充填されていく。この際シース管１１内にはエアー３１溜りが生じ得ることから、通常はシース管１１の延長約２５ｍ間隔ごとにエアー３１を脱気するためのホース４，４をシース管１１の頭部に連通させている。
さらに、グラウト２充填後は、２４時間にわたるブリーディング３２の状況を視認するのが現場確認試験としておこなわれている。ブリーディング３２の状況視認においても、上記するホース４が使用されている。すなわち、ＰＣ構造物１表面に突出させたホース４内に上昇してきたグラウト２の上部におけるブリーディング３２の状況を視認することができる。
【００１１】
使用するホース４は、通常、耐久性に優れ、比較的肉厚で加圧時の外径変化が少ない耐圧ホースを使用する。コンクリート打設時のフレッシュコンクリートによる圧力やセメントの水和反応時の温度上昇などに抗し、所定の内径を確保するためである。
ホース４のＰＣ構造物１表面からの突出長は通常１ｍ以上とし、グラウト２がＰＣ構造物１表面から１ｍ程度突出した付近でブリーディング３２の状況視認をおこなうこととなる。
【００１２】
＜２＞グラウトホース補助スタンド
グラウトホース補助スタンド５は、板材６１と該板材６１表面上に設けた突起部６２とから構成される脚部６と、該板材６１に備えた切り欠き部６３に設置して該切り欠き部６３を中心に回転可能に設けた棒体７とから構成できる（図１参照）。
板材６１に設ける切り欠き部６３の平面形状は任意に選定できるが、棒体７を倒した状態で該棒体７が切り欠き部６３内に収納可能な切り欠き幅を備えて成形するのが好ましい（図２参照）。
棒体７は、板材６１への取り付け部を中心に回転させながら直立させ、板材６１表面に設けた突起部６２をストッパーとして回転の自由度を拘束することができる。
ここで、棒体７と板材６１との取り付けは、棒体７の側面に突起を設けておき、板材６１の切り欠き部６３に刻設した溝にかかる突起を嵌合させておくなどの方法によって取り付けることができる。
【００１３】
棒体７の長さは、ブリーディング確認のために必要な１ｍ以上の長さとするのがよい。
棒体７を直立させ、切り欠き部６３から突出したホース４を棒体７に沿わせて直立状態を維持させ、少なくとも棒体７の下端付近と上端付近で結束部材９にて棒体７とホース４とを結束固定する。
【００１４】
グラウトホース補助スタンド５の構成部材である棒体７、板材６１、突起部６２は、木製、鋼製、プラスチック製など任意材料にて製作することができる。
【００１５】
グラウトホース補助スタンド５を使用する目的は、従来、ホース４を固定していたバリケードなどでは、ＰＣ構造物１表面上での作業員の作業に支障を来たしていたことから出来る限りコンパクトな形状、大きさの固定具を使用することにある。また、ホース４をかかるコンパクトでスリム形状なグラウトホース補助スタンド５の棒体７の下端付近で緊結することにより、グラウトホース補助スタンド５が倒れ難くなる性質を利用できることにある。すなわち、比較的材質の硬い耐圧ホースを使用する場合、かかるホース４はＰＣ構造物１内に埋め込まれ、その突出部付近で棒体７と緊結されることによって、ホース４はあたかもＰＣ構造物１内へ打ち込まれたアンカーのような役割を担うこととなる。発明者はかかる作用効果に着目し、本発明に至っている。したがって、多少の風力やその他の外力では容易に棒体７（グラウトホース補助スタンド５）は倒れることなく直立状態を維持することができるので、ホース４を一定期間直立状態に維持してブリーディングの視認検査をおこなうことが可能となる。
なお、棒体７とホース４を結束する結束部材９は、鉄筋同士を結束する際に使用する番線や、塩化ビニル被覆の結束線のほか、繊維質の紐などを使用できる。
【実施例】
【００１６】
図１に示す実施例のほかに、少なくとも３本以上の支持脚８，８，８を板材６１の下面に備えたグラウトホース補助スタンド５を製作することもできる（図３参照）。ここで、支持脚８を少なくとも３本必要とするのはグラウトホース補助スタンド５を安定に保つためである。また、支持脚８，８，８を備える目的は、微視的には不均一な凹凸形状を備えたＰＣ構造物１表面上において、グラウトホース補助スタンド５を安定に直立させるためである。かかる支持脚８を備えることによってＰＣ構造物１表面上の凹凸に左右されることなくグラウトホース補助スタンド５を直立させることができ、ひいてはホース４を直立支持することが可能となる。
また、上記するように棒体７はホース４のうちＰＣ構造物１表面により近いレベルで双方を緊結するのが好ましいため、支持脚８の長さは短めに製作するのがよい。
【図面の簡単な説明】
【００１７】
【図１】ホースを固定したグラウトホース補助スタンドの斜視図。
【図２】棒体が回転して直立した状況を説明した斜視図。
【図３】支持脚を備えたグラウトホース補助スタンドを示した斜視図。
【図４】シース管及びシース管に連通してＰＣ構造物上に突出したホースをグラウトホース補助スタンドにて直立保持させている状況を説明した縦断図。
【図５】従来のホースの保持状況を説明した斜視図。
【符号の説明】
【００１８】
１・・・ＰＣ構造物
１１・・シース管
２・・・グラウト
３１・・エアー
４・・・ホース
５・・・グラウトホース補助スタンド
６・・・脚部
６１・・板材
６２・・突起部
６３・・切り欠き部
７・・・棒体
８・・・支持脚
【図１】
2005126963.tif 000003
【図２】
2005126963.tif 000004
【図３】
2005126963.tif 000005
【図４】
2005126963.tif 000006
【図５】
2005126963.tif 000007